(57)【要約】【課題】従来の記録方法では当該デジタルデータは記録全体に対してそのつど設定された正味データレートで連続的にトッラクの始めから終わりまで記録される。本発明の課題は記録担体上にてデータ記録および／又は−再生をランダム的読出、書込アクセスで行わせ得ることにある。【解決手段】デジタルデータの連続的記録はバースト的記録により置換される。データのバースト的記録により各バーストは記録担体上で１つのクラスタを形成する。当該データは有利にＣＤ標準記録フォーマットにて１.４１１Mbit／secのデータレートのもとで記録される。再書込可能の無接触走査可能な記録担体、例えば、光磁気ディスク（ＭＯＤ）上でデータ記録及び再生が行われる。【選択図】図１
2010182418.tif 000002
【特許請求の範囲】
【請求項１】
走査可能な記録担体に少なくとも１つのトラックを設け、記録時には該トラックにデータをバースト状に記録し、再生時には該トラックからバースト状に記録されたデータを読み出す形式の、正味データレートより高い前もって定められた書き込みデータレートでディジタルビデオデータ信号を走査可能な記録担体に記録または該記録担体から正味データレートより高い前もって定められた読み出しデータレートで再生する方法であって、
記録担体に記録すべきデータをトラックの一部分であるクラスタに、その正味データレートとは無関係に前もって定められた物理的な書き込みデータレートを用いて該記録担体に記録し、または前もって定められた物理的な読み出しデータレートを用いて該記録担体から読み出し、
前記正味データレートは前記前もって定められた書き込みデータレートまたは前記前もって定められた読み出しデータレートよりも小さく、
データを一時記憶メモリを使用して記録または再生装置に一時記憶して、記録すべきデータの正味データレートを書き込みデータレートに変換し、または読み出しデータレートを再生すべきデータの正味データレートに変換し、
前記記録担体へのそれらのデータの書き込み後または記録担体からのそれらのデータの読み出し後、書き込みまたは読み出しにあたり休止期間を挿入し、
現在のクラスタの書き込み後または読み出し後の前記休止期間中、記録または再生装置を次のクラスタの開始位置に位置決め、
それぞれ正味データレートより高い前もって定められた書き込みデータレートで前記記録担体に記録すべきまたは該記録担体から正味データレートより高い前もって定められた読み出しデータレートで再生されるディジタルビデオデータ信号は、データ圧縮プロセスを用いてデータ圧縮したビデオ信号であり、走査値のブロックをスペクトル係数の対応のブロックに変換する、前記方法。
【発明の詳細な説明】
【技術分野】
【０００１】
無接触走査可能な記録担体、例えばコンパクトディスク（ＣＤ）又は光磁気ディスク（ＭＤ）はデジタルデータ、有利にはデジタルのオーディオデータ又はビデオデータを大量に記憶するのに適している。それらの記録担体は有利にらせん（スパイラル）状のトラックを有する。記録又は再生動作中、記録担体は次のように回転する、即ち、当該トラックは、一定のパス（走行経路）速度（ＣＤの場合の標準：１．２ｍ／ｓｅｃ）で、半径方向に移動調整可能な走査記録ユニット又は走査再生ユニット（レーザ）のところを通過案内せしめられるように回転する。記録−又は再生装置におけるＣＬＶ技術は（Constant  Linear  Velocity）により一定のパス速度が確保される。
【背景技術】
【０００２】
従来記録方法ではデジタルデータは、記録全体に対してそのつど設定された正味（ネット）データレートで、記録担体のトラックの始めから終りまで記録される。このことの欠点とするところは記録担体上にデータの記録のため相応のデータも連続的に利用可能でなければなければならない（マスタテープにより実現される）ことである。このことはそのような記録担体の大きな記憶容量にとって必ずしも可能でないので、データの個々の記録は制限される。
【０００３】
ＣＤフォーマットにて標準−オーディオ−記録の場合データレートは、１．４１１２Ｍ
Ｂｉｔ／ｓｅｃ（＝１６Ｂｉｔ（各サンプル値ごと）＊４４．１ＫＨｚ（ＣＤの場合の）標準−サンプル周波数）＊２（ステレオ向け）である。そのような大きさの正味（ネット）−データレート（ネット正味データとは例えば１秒音声情報、又は１秒画像情報を記憶し伝送等するために使用されるデータレートである）によっては各記録担体ごとに夫々ほぼ６０ｍｉｎの演奏再生時間が達成可能である。一定のサンプリング周波数及びステレオ記録のもとで記録時間、ひいては再生時間の延長のため公知のデータ圧縮方法ではＡ／Ｄ変換器の出力側にて各走査値ごとに１６ビット全部を記録するのではない。ここで例として挙げるべきデータ圧縮方法としては下記のものがある、即ち、ＮＩＣ（Near  Instantaneous  Companding）、ＭＳＣ（Mehrfach  adaptive  spektrale  Audio-Codierung  多重適応スペクトルオーディオコーディング）、ＤＰＣＭ（Differenz  Pulse-Code  Modulation）、ＡＤＰＣＭ（Adaptive  Differenz  Pulse-Code-Modulation）又はデルタ変調方式があり、それら手法によってはデータ圧縮された音声記録が、標準ＣＤ−記録に比して大した品質損失なしで行なわれ得、その際各記録担体ごとに４時間まで再生時間が延長される。
【発明の概要】
【発明が解決しようとする課題】
【０００４】
本発明の基礎を成す課題とするところは、記録担体上にてランダムの読出し、書込みアクセスによるデータ記録および／又は再生を行なわせ得ることにある。
【課題を解決するための手段】
【０００５】
上記課題は、走査可能な記録担体に少なくとも１つのトラックを設け、記録時には該トラックにデータをバースト状に記録し、再生時には該トラックからバースト状に記録されたデータを読み出す形式の、正味データレートより高い前もって定められた書き込みデータレートでディジタルビデオデータ信号を走査可能な記録担体に記録または該記録担体から正味データレートより高い前もって定められた読み出しデータレートで再生する方法であって、記録担体に記録すべきデータをトラックの一部分であるクラスタに、その正味データレートとは無関係に前もって定められた物理的な書き込みデータレートを用いて該記録担体に記録し、または前もって定められた物理的な読み出しデータレートを用いて該記録担体から読み出し、前記正味データレートは前記前もって定められた書き込みデータレートまたは前記前もって定められた読み出しデータレートよりも小さく、データを一時記憶メモリを使用して記録または再生装置に一時記憶して、記録すべきデータの正味データレートを書き込みデータレートに変換し、または読み出しデータレートを再生すべきデータの正味データレートに変換し、前記記録担体へのそれらのデータの書き込み後または記録担体からのそれらのデータの読み出し後、書き込みまたは読み出しにあたり休止期間を挿入し、現在のクラスタの書き込み後または読み出し後の前記休止期間中、記録または再生装置を次のクラスタの開始位置に位置決め、
それぞれ正味データレートより高い前もって定められた書き込みデータレートで前記記録担体に記録すべきまたは該記録担体から正味データレートより高い前もって定められた読み出しデータレートで再生されるディジタルビデオデータ信号は、データ圧縮プロセスを用いてデータ圧縮したビデオ信号であり、走査値のブロックをスペクトル係数の対応のブロックに変換することにより解決される。
【０００６】
基本的に、デジタルデータの通常の連続的記録が、バーストごとの記録によって置換され、ここにおいて各バーストデータはそれ自体連続的に記録される。データのバーストごとの記録によって、有利に各バーストは記録担体上に１つのクラスタ（集群）を形成する。１つのバーストデータとは所定のデータ量（集合）、例えば１つ又は複数ビットの所定のデータ量（集合）のことである。１つのクラスタ（集群）とは実質的に１つのバーストデータを含むトラック部分である。そのようなクラスタによる記録は以下"クラスタ記録"と称される。
【０００７】
当該記録方法では記録さるべきデータのデータレート、例えば音声データが、１つ又は複数の異なったデータ圧縮方法を用いて圧縮されたかは重要ではない。
【０００８】
以下述べる"クラスタレコーディング"を用いて、就中次の作動形式が可能である。
１  異なった正味データレートによるデータのランダムの読出及び書込アクセスによるデータ記録、
２  音声データ圧縮方式を用いてのロングプレイ（長時間再生）（＞１ｈ）音声記録
３  極端なロングプレイ（８４ｈまで）音声記録
当該データは有利にＣＤ標準記録におけるように、１．２ｍ／ｓｅｃの変らない走査速度及び４４．１ＫＨｚの走査周波数、従って１．４１１Ｍ  ｂｉｔ／ｓｅｃの標準データレートで記録され、その結果従来通有記録及び再生ユニットのＣＬＶ−方式及び等化器回路に対して何ら変更は必要ない。
【０００９】
従って、記録担体上の１．４１１Ｍ  ｂｉｔ（これは例えばＭＳＣ方式を用いて圧縮されている）はＣＤ標準におけるようなたんに１秒の音声記録の情報でなく、ほぼ４秒の音声記録の情報を含む。
【００１０】
そのために、記録さるべきデータに誤り防止コード、例えばクロスインターリーブドリードソロモンコード（ＣＩＲＣ）を施し、記録前にインターリーブし、チャネルコード例えばＥＦＭコード（eight  to  fo-urteen  moduldtion）を用いて、記録担体上に記録すると有利であり、その際当該ＥＦＭコードによって当該データはＥＦＭフレームにて構造化される。有利に各ＥＦＭフレームは２４バイトの有効データを含む。
【００１１】
記録担体のトラックがらせん（スパイラル）状であり、有利にＡＴＩＰ方式を用いて一義的な伝送データでプリフォーマット化されると有利である。それによって、記録担体上の各バーストデータに対して、もって、各クラスタ（集群）に対して個別にアクセスして、相応のデータを例えば消去し、新たに書込又は読出し等々し得る。ランダム読出及び書込アクセスによるそのようなデータ記録は殊にコンピュータにおいて大きな利点を有する。それにより、例えば音声データの個別の記録がはじめて可能になる。
【００１２】
１つのクラスタ（集群）の長さを次のように設計すると有利である、即ち、１つのＡＴＩＰブロックの整数倍、ひいてはＥＦＭフレームの整数倍に相応するように設計すると有利である。従って１つのクラスタに対する１つのＡＴＩＰブロック及び１つのＥＦＭフレームの一義的対応関係性（帰属性）が設定、確定されており、それにより１つのクラスタの一義的アドレッシング可能性が確保される。
【００１３】
誤りのない記録の改善のため有利に、クラスタＣＬ２の書込前に先に書込まれたクラスタＣＬ１が再び読出され、誤りのある記録の際クラスタＣＬ１が新たに記録され、当該の誤りのあるクラスタは、マーキングされて、それにより、記録担体の再生の際当該の誤ったクラスタの繰返しと再生が回避される。
【図面の簡単な説明】
【００１４】
【図１】記録装置にて実現されているＭＳＣデータ圧縮付音声チャネルの記録のための構成のブロック接続図。
【発明を実施するための形態】
【００１５】
次に図示の例を用いて本発明を説明する。
【００１６】
図１は記録装置にて実現されているＭＳＣデータ圧縮付音声チャネルの記録のための構成のブロック接続図である。
【００１７】
ＬＰＦ１を用いてのアナログ信号のろ波、及び１６ビットＡ／Ｄ変換器２の走査後、上記Ａ／Ｄ変換器の出力側に、各走査パルスごとに１６ビットが後続処理のため現われる。それら走査値は−夫々ブロックに配列されて−特別な計算装置３にてフーリエ変換を受ける。その結果としては各ブロックに対して１０２４のスペクトル係数のセットが得られ当該係数セットは当該測定技術上慣用のデジタルスペクトルアナライザによっても形成され得るものである。絶対値及び位相値はＭＳＣエンコーダ４において多重に適応的にコード化され、換言すれば、重要な係数は多くのビット（１４まで）で表示され伝送され、比較的に重要でない係数はたんに少数のビットで表示され伝送される。著しく小さい重要でない係数は零にセットされ、伝送されない。そのような場合において"節減されたビット"は他の重要な係数に加えられ、当該の他の係数は次いで相応に精確に伝送される。
【００１８】
ＭＳＣ−データ圧縮の後デジタルデータは３０８．７ＫＨｚを以て当該エンコーダ４から送出され、並列／直列変換器５に供給される。上記変換器５の出力側は中間（一時）記憶装置６に接続されている。中間記憶装置の書込クロックは３０８７００Ｈｚであるのに対し、読出クロックは１．４１１２ＭＨｚである。１．４１１２ＭＨｚの、３０８．７ＫＨｚへの変換が７／３２分周器７により行なわれる。
【００１９】
中間記憶装置（一時記憶メモリ）は制御ユニット８により制御され、上記制御ユニット８は就中記録担体１１上の実際の位置データ１４を設定−位置データと比較する。一時記憶メモリ６にて、調整された設定−バーストにおけると少なくとも同数のデータが記憶されている際はじめて、一時記憶メモリは信号線路１３"データレディ"（"Data  Ready"）についてシグナリング通報する。当該記録ユニットがそれの規定（設定）位置に到達すると、出力制御線路"Output  Control"１２を介して当該メモリの読出が行なわれ、相応のバーストデータが、一時記憶メモリから、毎秒１．４１１２Ｍ  ｂｉｔのＣＤ−標準記録データレートで読出され、リードソロモンコード化器９にてＣＩＲＣ−誤り（エラー）防止コード（Cross-Interleaved-Reed-So-lomon-Code）を施され、インターリービング（コード拡張）操作を受ける。当該インターリービングのためコード化器（エンコーダ）９中にインターリービングメモリ（図示せず）が設けられている。デジタルデータの処理及び記録の時間的経過を図１に示す。
【００２０】
無接触式に走査可能な記録担体はＭＯＤのように、種々の物理的誤差（これはディスク作製の際確実には避けられない）を伴ない得るので、記録さるべきオーディオ信号は当該の特別のコード化方法に従ってコード化される。リードソロモンコード化器（エンコーダ）９においてコード化されたデータは変調器１０においてＥＦＭ変調を受け、特別線路コードを用いて当該ＭＯＤ上に記録される。その際データはＥＦＭ変調によりＥＦＦフレームで構造化される。これはＣＤ上にて使用されているフォーマットでもある。
【００２１】
当該記録の組織的構成は次のようになっている、即ち、各２４バイトの有効データ（各１６Ｂｉｔを有する８ステレオ走査値）が、１つのＥＦＭフレーム中に記録されるようになっている。インターリービングに基づき１つのフレーム中の当該の２４バイトデータは入力有効データの隣接する走査値には属しない。隣接する走査値に属するデータはほぼ１１０の順次連続するフレームに亙って分散している。これにより誤り（エラー）防止機能が改善される。
【００２２】
記録担体上のデータの走査又は再生は基本的に記録と相反的（逆に）行なわれる。
【００２３】
ここで無接触走査可能の回転可能記録担体として使用された光磁気ディスク（ＭＯＤ）１１は有利にプリフォーマット化（事前フォーマット化）されたらせん（スパイラル）状トラックを有し、当該らせん（スパイラル）状トラックは絶対位置表示のためと、走査ユニット制御のためのデータを有する。当該プリフォーマット化はＡＴＩＰ（absolute  time  in  pre-groove）方法でなされている。このために当該トラックは水平方向に変調されており、それもオーディオ走査周波数に比例する周波数（２２．０５ＫＨｚ）で変調されている。この周波数は記録ユニットおよび／又は再生ユニットにおけるＣＬＶサーボの同期化のためにも用いられる。当該周波はＡＴＩＰデータを有するバイ（Ｂｉ）フェーズフォーマットで位相変調されている。その際得られるデータレートは比較的小さいが、上述のフォーマットでの絶対的位置データの記録には十分である。
【００２４】
１つのＡＴＩＰ情報は記録担体にてデータの書込及び読出し中常時読出され、信号線路１４を介して制御ユニット（コントロール）８に送出され得る。ＭＯＤの場合、このことは次のようにして行なわれ得る、即ち、ＡＴＩＰ情報が書込／読出ユニットを用いて読出され、トラッキング装置（これは書込、読出動作中も動作する）を介して評価され得るようにするのである。
【００２５】
そのようなＡＴＩＰ情報を含む記憶媒体上の時間区間は以下ＡＴＩＰブロックと称される。ＭＯＤ上のフォーマットは次のように構成されている、即ち、１つのＡＴＩＰブロック中９８のＥＦＭフレームが記録又は読出されるように構成されている。
【００２６】
要するに、前述のような記録担体上ではＡＴＩＰを用いてプリフォーマット化されたトラックのこれまで書込まれてない個所も精確に見出され得る。その際当該精度はＥＦＭフレームの個数により与えられ、ここでは９８フレームの精度で与えられる。上述のフォーマットのＭＯＤの場合１．２ｍ／ｓｅｃの走査速度（ＣＯＤにおけるように）のもとで１つのＥＦＭフレームは１３６．０５μｓｅｃの長さを有し、１つのＡＴＩＰブロックは１３．３ｍｓｅｃないし１／７５ｓｅｃを有する。
【００２７】
１つの所定のＡＴＩＰ（ｎ）−ブロックによるサーチ過程は常に次のように行なわれる、即ち、その前に位置するＡＴＩＰ（ｎ−１）ブロックが読出されるように行なわれる。当該ブロックがデコーディングされたとき直ぐ後続するのは所望のブロックでありこの所望ブロックはそこで読出され又は書込まれ得ることがわかる。
【００２８】
サーチ過程は次のように経過する。
１  実際のＡＴＩＰの読出
２  １回転までの待機で十分か、又は１ジャンプが必要であるか判定する
３  メカニク（機構）のジャンプ命令
４  （場合によりランダム性の）目標個所に対してＡＴＩＰを読出す
５  新たなトラックジャンプが補正のため必要か、又は１回転までの待機が必要であるかの判定
６  ＡＴＩＰ〜ＡＴＩＰ（ｎ−１）を読出す
所望の記録は次のように行なわれる、即ち、記録さるべきデジタルデータが、上述のように一時記憶メモリ６にて収集され、このメモリからバーストごとにＣＤに対する標準記録データレートで、即ち１．４１１２Ｍｂｉｔ／ｓで記録のため送出されるようにするのである。一時記憶メモリにおける各バーストデータは記録担体上に固定数（各９８）のＡＴＩＰブロック及びＥＦＭフレームを有する夫々所属のクラスタにて連続的に記録される。しかる後、低下された正味データレートに相応して、新たな位置定め時間が存在する。一時記憶メモリがいっぱいになると書込装置（レーザ光学系及び磁気ヘッド）が、直前に書込まれたクラスタの終りのところにて丁度再び到来している、ないしその少し前のところに位置しているべきである。このことを行ない得るには各クラスタごとのフレームの数が、圧縮率Ｋと各回転ごとのフレームの最大数（ＣＤの場合外側にてほぼ２２２０）との積に等しいかそれより大であることを要する。ＭＳＣデータ圧縮の場合、圧縮率Ｋは０．２５に等しく、各クラスタごとのフレームの数は従って少なくとも５５５より幾らか大であるべきである。
【００２９】
ＡＴＩＰを介しての一義的なアドレッシング可能性の故に、１つのクラスタの長さはＡＴＩＰ長さの整数倍である。
【００３０】
当該記録がいずれかの個所で中断すると、ＣＩＲＣコード化部分（エンコーダ）はインターリービングメモリ（これはリードソロモンエンコーダ９に含まれている）におけるコード拡張（インターリービング）に基づきなおデータ（これは先に記録されたデータに属する）を含む。この場合においてコード化部分は停止され、次いで、次のクラスタの書込の際再びスタートし、もって、残りのデータを、次のクラスタの始めに書込むことができる。
【００３１】
このことは必ずしも容易に実現され得ない、それというのは、ハードウェアのストップ（停止動作）が必ずしも直ちに行なわれ得ず、データの精確でない相互結合の危険が存在するからである。
【００３２】
従って、１つの実際のクラスタが、全面的には有効データで充填されず、インターリービング長さに相応して、事前に有効データのコーディングと共に終了され、次いで、クラスタの終りにてたんにインターリービングメモリが空ら（非有効）状態におかれる。
【００３３】
インターリービングから生じる結果ないしシーケンスのほかに、考慮さるべきは１つのクラスタに対する記録過程の始めにて走査ユニット又は書込／読出ユニットが、読出から書込へ切換えられる。このことは但し、当該の走査ユニット（レーザ）により必ずしも迅速かつ精密に行なわれ得ない。従って、１つのクラスタの始めにて屡幾つかのデータが失なわれる。従って、１つのクラスタの始めにて、幾つかの空ら（非有効）データ、ここでは１〜３ＥＦＭフレームが書込まれる。
【００３４】
各クラスタにて生じる、始めにおける損失、並びに終りにてインターリービングメモリの空ら（非有効）書込みによる空ら（非有効）データの損失をわずかに抑えるため、クラスタは必ずしもできるだけ短かくされない。記録されたデータに対するダイレクトリの所要の構成、及び記録担体の基本的に存在する融通性（これは勿論クラスタレコーディングによって除かれるべきでない）のため、１つのクラスタの長さはまた任意の大きさではない。
【００３５】
クラスタレコーディングによるＭＯＤ１３に対して
は次のクラスタ長ｌＣＬが設定されている
ｌＣＬ＝１１７６ＥＦＭフレーム
＝１２ＡＴＩＰブロック
＝０．１６ｓｅｃ
１つのクラスタ内での分布は次のようになる。
ＥＦＭフレームの個数                  内容
１                          リンクフレーム（Ｌｉｎｋ−ｆｒａｍｅ）
２                          ランイン（ｒｕｎ−ｉｎ）
１０２９                    データ（Ｄａｔａ）
１１１                      インターリービング
（Ｉｎｔｅｒｌｅａｖｉｎｇ）
２                          ランアウト（ｒｕｎ−ｏｕｔ）
１                          リンクフレーム（Ｌｉｎｋ−ｆｒａｍｅ）
３０                        不使用（ｕｎｕｓｅｄ）
上記の構成仕様によっては２４６９６ビットの有効データが、本来２８２２４ビットのスペースを占める１つのクラスタ中に記録される。記憶容量の損失は１／８＝１２．５％である。
【００３６】
上記の特別の選択の結果によれば圧縮された有効データのクロックが、"通常（ノーマル）ＣＤ"のクロックと単純な比の関係にある。
【００３７】
１／４＊（１−１／８）＝７／３２
当該の記録可能な総データレートはクラスタレコーディングにより所望のように１／４に圧縮される。正味（ネット）値としては１／８の損失のため標準データレートの７／３２が得られる。
【００３８】
要するに達成可能な正味（ネット）データレートは前述の場合次のようになる。
【００３９】
７／３２＊１．４１１２Ｍｂｉｔ／ｓｅｃ＝３０８．７ＫＨｚ／ｓｅｃ
このことは３．５ビット／サンプルによる量子化の仕様に相応し、このことは最新のデータ圧縮方法、ここではＭＳＣのような方法により良好に可能である。７／３２の簡単な分周比関係のため上述の設計構成の場合、付加的に、データ圧縮された外部源と記録担体との簡単な同期化が可能である。
【００４０】
要するにクラスタレコーディングの意味することは、有効データは通常のＣＤフォーマットにおけるように、夫々２４の利用可能なバイトを有する７３５０ＥＦＭフレーム毎秒の連続シーケンスで記録されるのではない。当該記録はその代わり次のようなクラスタで行なわれる、即ちそれ自体、所定数のＥＦＭフレームの連続シーケンスから成るクラスタで行なわれるが、当該クラスタ間では当該記録は連続的でない。その結果として、各クラスタに対してランダムに読出しアクセス、また書込アクセスを行ない得る（前に又は後ろに位置するクラスタにて記録された情報が損なわることなく）。
【００４１】
１つのクラスタに対するランダムの書込アクセスには十分長い間隙のため、レーザの高速のランニングアップ及びランニングダウンも必要でない。
【００４２】
１つのクラスタの書込の後、次のクラスタの始めの位置定めのため使用される休止期間ないしポーズが生じる。次のクラスタの始めを見出すため、次のクラスタの終りにおけるＡＴＩＰブロックがデコーディングされる。従って、直ぐ次のクラスタが再び書込まれる前に最後（直前）のクラスタ全体が再度読出されるように位置定めすることが可能である。この場合記録誤差を検出して、それにより、過度に高い誤り（エラー）数の場合記録過程を全体的に中断し又は少なくとも警報を利用者に出力することが可能である。
【００４３】
エラー識別の発展形態によればなおエラー補正手段が設けられる。このために、最後のクラスタのデータが、一時記憶メモリ中に保存される。エラー補正のための２つのストラテジー（手法）が可能である。
【００４４】
一方では新たに誤りのあるクラスタの始めへの位置定めがなされ、それのデータが再度書込まれる。それにすぐつづいて後続クラスタのデータが来る。当該位置定めのためには時間が費され、その結果場合により２つの書込サイクル間でのポーズ（小休止）は位置定め、補正読出、新たな位置定め、補正書込には十分な大きさではない。
【００４５】
記録誤差が記録担体上の欠陥個所にも伴ない得るので、障害（エラー）の場合、誤りのあるクラスタ中のデータの書込を後続クラスタ中で繰返し、而して、それにつづくクラス中の本来（実際に）後続するデータを書込むとよい。その場合、誤りのあるクラスタは読出しの際簡単にジャンプ（スキップ）ないし除去され得るためマーキングされる。
【００４６】
当該マーキングは記録担体のダイレクトリＵＴＯＣ（Ｕｓｅｒ  Ｔａｂｌｅ  ｏｆ  Ｃｏｎｔｅｎｔ）中にて行なわれ、または特別のクラスタ中にて、連続的クラスタ記録の始めと終りにて行なわれ得る。また、補正のため再度書込まれた後続のクラスタを次のようにマーキングすることも（例えば同期化語）可能である、即ちそれにより先行のクラスタ中のエラーが通知されるようにマーキングすることも可能である。つまり、再生の際常に１つのクラスタがあらかじめ読出されねばならないということである。
【００４７】
例えばＭＳ−ＤＯＳのようなオペレーティングシステムを基にしたコンピュータのデータ記録は１０２４バイトのブロックで行なわれる。１つのクラスタが上記の仕様に従って設計される場合、無造作に、１０２４の有効バイトを有する２４ブロックが場合によりエラー防止のための付加的ビットを付して、何ら問題なしに、少なくとも１０２９の使用可能なＥＦＭフレームを有する１つのクラスタ中にて記録され得る。アドレッシング可能性が与えられているので、クラスタレコーディングはコンピュータでのデータ記録のために適する。
【００４８】
０．１６ｓｅｃの持続時間の個別ごと、少し宛の記録、及び、後続のクラスタの記録までの０．４８ｓｅｃの後続のポーズ（小休止）の故に位置定め手法（ストラテジー）が設けられている、それというのはレーザがポーズの経過後、丁度次のクラスタの始めにて位置するということを基礎にし得ないからである。
【００４９】
以下述べる可能な１つの手法によりロジックシーケンスを明示する。それとは異なる実現手法も可能である。
【００５０】
音声圧縮方法のＭＳＣ−コーダ４から送出される、３０８．７ｋビット／ｓｅｃのデータは上述のように１時記憶メモリ６、又はデュアルバッファ中に位置定めされる。読込クロックは３０８７００Ｈｚであり、読出クロックは１４１１２００Ｈｚである。両バッファの長さは夫々１９７５６８ビット＝２４６９６バイトである。
【００５１】
最初のクラスタの書込はＡＴＩＰ（ｎ）におおいて開始される。１１４３ＥＦＭフレームの書込の後、書込過程は終了される。０．４８ｓｅｃの後続する待機時間の経過後デュアルバッファは"Ｄａｔａ  ｒｅａｄｙ"を通報する。そこで、サーチ過程はＡＴＩＰ（ｎ＋１２）にてブロック上で行なわれる。このために、最大限４つのトラックが、内方に向って、ジャンプ（スキップ）されねばならない。付加的に、最大限１回転の待機時間が必要になり得る。そこで次のクラスタが書込まれ得る。
【００５２】
位置定め全体のために、４００ｍｓｅｃまでの時間が利用可能である。この時間内に位置定めは確実に終了されていなければならない。
【００５３】
次に内側の隣接トラックへのジャンプが大きな確実性を以て実施され得ることを基礎とすることができる。従って次のようなストラテジー（手法）が可能である。
【００５４】
第１のクラスタの書込はＡＴＩＰ（ｎ）において開始される。１１４３のＥＦＭフレームの書込の後、書込過程が終了される。その後直ちに１トラックだけ内側へジャンプされ、ＡＴＩＰ（ｎ＋１２）に対するサーチ過程が開始される。このサーチ過程は一時記記憶メモリ６が"Data  ready"を通報するまで繰返される。その際ＡＴＩＰ（ｎ＋１２）を次に見出す際第２クラスタの書込過程が開始される。この書込過程の終りの後再び内側へのトラックジャンプ及び今や、ＡＴＩＰ（ｎ＋２４）に対するサーチ過程等が行なわれる。
【００５５】
当該手法（ストラテジー）において有利であるのは、常にたんに１トラック分だけジャンプしさえすればよく、勿論この過程は比較的頻繁になされることである。遅くとも"Data  ready"の後１回転してからは次のクラスタの記録が開始され得る。
【００５６】
第１クラスタの書込後先ずＡＴＩＰ（ｎ）へのサーチ過程を行なう場合、即ち、丁度書込まれたクラスタの始め（スタート）の後サーチ過程を行なう場合、丁度書込まれたデータが監視制御（チェック）のために用いられ得る。生じたエラーの評価によっては適当に手段、例えば警報信号又は誤りレートの指示が開始され得る。
【００５７】
チェック読出の際補正不能のエラーが検出された場合ＡＴＩＰ（ｎ）における誤りのあるものと識別されたクラスタは再度ＡＴＩＰ（ｎ＋１２）にて書込まれ得る。このことは適当な手法でＵＴＯＣ（User  table  of  content）にて固定的に保持され、それにより、ＡＴＩＰ（ｎ）における誤りのあるクラスタは再生の際ジャンプされ（省かれ）得る。誤りの場合における上述の書込繰返しの実現のための一時記憶メモリ６は適当に構成されており、例えばサイクリックな３重−デュアルバッファとして構成されている。
【００５８】
上述の方法はデータのデータ圧縮及び所定のデータ圧縮方法、ここではＭＳＣのようなものに限定されていない。同様に、データ圧縮されていないデータおよび／又は他のデータ圧縮方法で圧縮されたデータレートで、記録担体上にて記録及び再生が行なわれ得る。
【００５９】
当該データの記録又は再生の別の手法はＭＳＣで低減されたデータレートを一時記憶メモリでバースト的に記録担体上に記録し又は読出し、次いで、所定の記録時間又は再生時間の後３倍の時間のポーズ（休止期間）を挿入する手法である。そのようにして、１つのラン（実行動作）にて記録担体は２５％充填され得る。終端に達すると、１つのポーズの３／４の期間中始端にジャンプし、第２のラン（実行動作）にて当該ディスクのさらに２５％を充填し、又は読出しを行なう。そのことはディスク内容の困難な構成組織化を要する。その場合記録担体は唯通常のプログラムを含むか、唯データ圧縮プログラムを含む。当該トラックの終端から始端への所定のジャンプはクリティカルである。
【００６０】
前述の手法と無関係な基本的に異なる手法によれば当該走査速度を圧縮率に相応して低減するのである。記録担体上での同じ波長のもとでは、１／４の圧縮率の場合、自動的に記録データレートの１／４及び再生時間の４倍を来たすこととなる。勿論ＣＬＶシステムは切換可能でなければならない。更に、等化器回路は記録担体から到来する信号に対して通常の周波数の１／４の信号を受取り従って切換可能でなければならない。同一のディスク上での"通常の"記録とデータ圧縮記録との混在は次のような場合のみ可能である、即ち、当該ＣＬＶの迅速な切換えが係数４ないし１／４分だけ行なわれ得る場合のみ可能である。
【００６１】
本発明はＰＣＭ信号を含む磁気テープ上でのデジタルデータの記録および／又は再生にも、又はＤＡＴレコーダ上でのＤＡＴ（デジタルオーディオテープ）−テープ上での記録にも使用可能である。ＤＡＴ記録の組織化（編成）構造は前述の方法に対してわずかな変更を以て等価的に設定され得る。
【図１】
2010182418.tif 000003